(57)【要約】【課題】自励式インバータ回路において、インバータトランスのうなりを軽減するとともにＦＥＴの発熱を軽減することを目的とする。【解決手段】スイッチングトランジスタＱ１を介して断続的に供給される直流電源を平滑する平滑回路と、第一および第二のＦＥＴとトランスとを備えるとともに平滑回路の直流出力が入力されて自励発振する発振回路と、スイッチングトランジスタＱ１のオン／オフを制御可能なマイコン６０とを備えさせ、マイコン６０によりスイッチングトランジスタＱ１におけるオン／オフのデューティ比を制御し、平滑回路からの直流出力を制御することにより、発振回路が出力する冷陰極蛍光管の点灯用交流電力を制御して同冷陰極蛍光管を調光する。【選択図】図２
0003119099.tif 000002
【実用新案登録請求の範囲】
【請求項１】
映像を画面を表示する液晶パネルと、
音声を出力するスピーカと、
アンテナを介してテレビジョン放送信号を受信するとともに映像信号を抽出して出力するチューナ回路と、
映像信号が入力され、当該映像信号に対応する映像を画面に表示する映像表示回路と、
所定のフォーマットのパルスで表現した赤外線信号を受信して対応する電圧信号を生成する赤外線受光回路と、
操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、
情報を書き換え可能なＥＥＰＲＯＭと、
上記液晶パネルの背面にて点灯するバックライトとしての蛍光管と、
商用電源が入力され、入力された電圧を各種電圧に変換して出力可能な電源回路と、
スイッチングトランジスタを介して断続的に供給される直流電源を平滑する平滑回路と、 
上記平滑回路の直流出力を入力し、第一および第二のＦＥＴとトランスとを備えて自励発振し、上記蛍光管の点灯用交流電力を生成する発振回路と、 
上記スイッチングトランジスタのオン／オフを制御可能なマイコンとを備える液晶テレビジョンにおいて、
上記マイコンは、上記スイッチングトランジスタにおけるオン／オフのデューティー比を制御して上記平滑回路からの直流出力を制御することにより、上記発振回路が出力する上記蛍光管の点灯用交流電力を制御して同蛍光管を調光することを特徴とする液晶テレビジョン。
【請求項２】
液晶パネルと、 
この液晶パネルの背面にて点灯するバックライトとしての蛍光管と、 
スイッチングトランジスタを介して断続的に供給される直流電源を平滑する平滑回路と、 
上記平滑回路の直流出力を入力し、第一および第二のＦＥＴとトランスとを備えて自励発振し、上記蛍光管の点灯用交流電力を生成する発振回路と、
上記スイッチングトランジスタのオン／オフを制御可能なマイコンと 
を備える液晶モジュールにおいて、 
上記マイコンは、上記スイッチングトランジスタにおけるオン／オフのデューティ比を制御して上記平滑回路からの直流出力を制御することにより、上記発振回路が出力する上記蛍光管の点灯用交流電力を制御して同蛍光管を調光する液晶モジュール。 
【請求項３】
上記デューティ比において、オフ時間を一定としたことを特徴とする上記請求項２に記載の液晶モジュール。
【考案の詳細な説明】
【技術分野】
【０００１】
本考案は、第一および第二のＦＥＴとトランスとを備えて自励発振し蛍光管の点灯用交流電力を生成する発振回路を備える、液晶モジュールおよび液晶テレビジョンに関する。
【背景技術】
【０００２】
従来においては、図２のインバータ回路にて調光を行っていた。同図の回路は、大きく分けてスイッチ部７２とメイン部７４とから成る。スイッチ部７２は、スイッチングトランジスタを介して断続的に供給される直流電源を平滑する平滑回路を備え、メイン部７４は、上記平滑回路の直流出力が入力され、第一および第二のＦＥＴとトランスとを備えて自励発振し、上記蛍光管の点灯用交流電力を生成する発振回路を備える。
【０００３】
スイッチ部にコネクタＣＮ１を介してマイコンよりオン／オフ信号が入力されると、スイッチングトランジスタＱ１、Ｑ９がオン／オフする。そしてテレビジョン全体のオン／オフに対応してコネクタＣＮ１よりオン／オフ信号が入力され、バックライトの点灯と消灯を制御している。
【０００４】
特許文献１および２には電界効果トランジスタにオン／オフ信号を入力してスイッチング制御を行うとともに、オン／オフ信号のオフ時間を固定しオン時間を変更するのみでデューティ比を制御することにより、スイッチング損失を低減することについて開示されています。
【特許文献１】特開平０７−２１１４８０
【特許文献２】特開２０００−３１２４８３
【考案の開示】
【考案が解決しようとする課題】
【０００５】
自励式のインバータ回路においてＦＥＴゲート電圧のオン／オフを直接制御すると、大きく調光したときインバータトランスにかかる電圧の波形に歪みが生じ、うなりが発生していた。
【０００６】
本考案においては、自励式インバータ回路において、インバータトランスのうなりを軽減するとともにＦＥＴの発熱を軽減することを目的とする。
【課題を解決するための手段】
【０００７】
上記目的を達成するため、本考案では、映像を画面を表示する液晶パネルと、音声を出力するスピーカと、アンテナを介してテレビジョン放送信号を受信するとともに映像信号を抽出して出力するチューナ回路と、映像信号が入力され、当該映像信号に対応する映像を画面に表示する映像表示回路と、所定のフォーマットのパルスで表現した赤外線信号を受信して対応する電圧信号を生成する赤外線受光回路と、操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、情報を書き換え可能なＥＥＰＲＯＭと、上記液晶パネルの背面にて点灯するバックライトとしての蛍光管と、商用電源が入力され、入力された電圧を各種電圧に変換して出力可能な電源回路と、スイッチングトランジスタを介して断続的に供給される直流電源を平滑する平滑回路と、上記平滑回路の直流出力を入力し、第一および第二のＦＥＴとトランスとを備えて自励発振し、上記蛍光管の点灯用交流電力を生成する発振回路と、上記スイッチングトランジスタのオン／オフを制御可能なマイコンとを備える液晶テレビジョンにおいて、上記マイコンは、上記スイッチングトランジスタにおけるオン／オフのデューティー比を制御して上記平滑回路からの直流出力を制御することにより、上記発振回路が出力する上記蛍光管の点灯用交流電力を制御して同蛍光管を調光する構成としてある。
【０００８】
また、上記目的を達成するために、請求項２に記載の液晶モジュールでは、液晶パネルと、この液晶パネルの背面にて点灯するバックライトとしての蛍光管と、スイッチングトランジスタを介して断続的に供給される直流電源を平滑する平滑回路と、上記平滑回路の直流出力を入力し、第一および第二のＦＥＴとトランスとを備えて自励発振し、上記蛍光管の点灯用交流電力を生成する発振回路と、上記スイッチングトランジスタのオン／オフを制御可能なマイコンとを備える液晶モジュールにおいて、上記マイコンは、上記スイッチングトランジスタにおけるオン／オフのデューティ比を制御して上記平滑回路からの直流出力を制御することにより、上記発振回路が出力する上記蛍光管の点灯用交流電力を制御して同蛍光管を調光する構成としてある。
【０００９】
つまり、上記マイコンが上記スイッチングトランジスタのオン／オフのデューティ比を制御して上記平滑回路からの直流出力を制御すると、上記平滑回路がスイッチングトランジスタを介して断続的に供給される直流電源を平滑して上記発振回路に出力し、第一および第二のＦＥＴとトランスとを備える上記発振回路が自励発振して上記蛍光管の点灯用交流電力を生成し、上記蛍光管が点灯して上記液晶パネルを背面から照射する。
【考案の効果】
【００１０】
以上説明したように、本考案の請求項１および請求項２では、電解コンデンサを介して自励式インバータ回路へ供給される供給電圧を、マイコンからのＰＷＭ制御により制御するようにしたため、同供給電圧で無理のない発振が可能となる。これにより、インバータトランスのうなりを軽減するとともに、ＦＥＴの発熱を軽減することが出来る。
【００１１】
また、請求項３にかかる考案によれば、オン／オフ制御におけるオフ時間を一定としたため、コンデンサＣ１の残り電圧がなくなるまでにオンとなるよう設定することが可能となり、インバータの発振が停止することによるトランスからの異音の発生を防止することが可能となる。
【考案を実施するための最良の形態】
【００１２】
以下、下記の順序に従って本考案の実施形態を説明する。
（１）液晶テレビジョンの概略構成：
（２）インバータ回路の動作：
（３）明るさの変更を行うマイコンの処理：
（４）まとめ：
【００１３】
（１）液晶テレビジョンの概略構成 
【００１４】
図１は、本考案の実施形態にかかる液晶テレビジョン１０５の概略構成をブロック図により示している。同図に示すように、液晶テレビジョン１０５は、テレビジョン本体１００とリモコン（リモートコントロール装置）６８とを備える。
【００１５】
テレビジョン本体１００は、概略、チューナ回路１０と、画像データ生成回路２０と、パネル駆動回路３０と、液晶パネル４０と、電源回路５０と、マイコン６０と、インバータ回路７０と、バックライト８０と、ＥＥＰＲＯＭ９０と、赤外線受光回路１４と、操作パネル３４とからなる。上記構成においてマイコン６０は、テレビジョン本体１００を構成する各部と電気的に接続しており、マイコン６０内部の構成部品としてのＣＰＵが、同じくマイコン６０内の構成部品であるＲＯＭやＲＡＭなどに書き込まれた各プログラムに従って、テレビジョン本体１００全体を制御する。ＣＰＵやＲＯＭやＲＡＭについては図示を省略している。
【００１６】
またマイコン６０は図示しないＯＳＤ（オンスクリーンディスプレイ）回路を備えている。ＯＳＤ回路は、画像データ生成回路２０に接続され、液晶パネル４０の画面にＯＳＤ表示する画像を表すＯＳＤ信号を生成し映像信号に重畳する。マイコン６０は、ＣＰＵの制御により、赤外線受光回路１４から電圧信号を入力して対応するキー操作を検知するとリモコン６８からの操作入力を受け付け、受け付けた操作入力に対応したＯＳＤ信号を生成する。また、マイコン６０は複数の操作項目を画面に一覧表示させるＯＳＤ信号を生成し、液晶パネル４０の画面に表示された操作項目の中からいずれかを選択する操作入力をリモコン６８から受け付けるとともに、選択された操作項目に対応する設定処理を実行する。
【００１７】
チューナ回路１０は、マイコン６０の制御により、アンテナ１０ａを介してテレビジョン放送信号を受信する。チューナ回路１０は、所定の信号増幅処理等を行いつつ、テレビジョン放送信号から中間周波信号としての映像信号を抽出し、画像データ生成回路２０へ出力する。
【００１８】
画像データ生成回路２０は、入力した映像信号をその信号レベルに応じてデジタル信号化するとともに、映像信号から抽出した輝度信号と色差信号とに基づいてマトリクス変換処理を行ない、画像データとしてのＲＧＢ（レッド、グリーン、ブルー）信号を生成する。
【００１９】
パネル駆動回路３０では、上記ＲＧＢ信号を入力するとともにＲＧＢ信号に対して液晶パネル４０の画素数（横縦比、ｍ：ｎ）に合わせたスケーリング処理を行い、液晶パネル４０に表示する１画面分の画像データを生成する。そして、このように生成された画像データを液晶パネル４０に出力することにより、液晶パネル４０に画像データに基づく画像表示をさせる。
以上より、画像データ生成回路２０おとパネル駆動回路３０とが、映像信号が入力されて当該映像信号に対応する映像を画面に表示する映像表示回路を構成する。
【００２０】
電源回路５０は、外部の商用電源等から電源電圧（交流）の供給を受けるとともに、同供給された電源電圧を、マイコン６０を始めインバータ回路７０等、各回路へ供給する。電源回路５０は、必要に応じて各回路へ供給する電圧を交流から直流へと変換する。
バックライト８０は、液晶パネル４０を背面から照射する光源の役割を果たす。本実施形態では、バックライトとして冷陰極蛍光管を用いる。
インバータ回路７０は、電源回路５０から供給された直流電圧を交流電圧に変換し、駆動信号としての当該交流電圧をバックライト８０に供給し、バックライト８０を点灯させる。インバータ回路７０は電源回路５０より供給された電圧をオン／オフするスイッチ部７２と、スイッチ部７２より電圧を供給されて、所定の交流電圧を生成・昇圧してバックライト８０に印加するメイン部７４と、バックライト８０を保護する保護部７６とから成る。
【００２１】
リモコン６８は操作を受け付ける複数のキーと、上記赤外線信号を上記赤外線受光回路に向けて送信する赤外線送信回路とを有し、同複数のキーの操作に応じた赤外線信号を所定のフォーマットで送出する。例えば、図７に図示するリモコン６８を用いて所望のチャンネルを受信させるべく操作すると、赤外線送信部６５より対応する赤外線リモコン信号が送出される。そして、マイコン６０が赤外線受光回路１４を介して同赤外線リモコン信号を受信し、対応するチャンネルを受信させるように周波数データをチューナ回路１０に送出する。
【００２２】
図８はリモコン６８の概略構成を示すブロック図である。リモコン６８は、制御回路５２を備え、同制御回路５２に接続された操作キー５１（図では３つの操作キーを例示）は図２のテンキー６３、音量調節キー６２ａ，６２ｂ、上下左右カーソル移動キー６１ａ，６１ｂ，６１ｃ，６１ｄ、カーソル選択キー６１ｅ、およびモード選択キー６４にあたる。また制御回路５２には赤外線送信回路５６が接続されている。
【００２３】
赤外線送信回路５６は、図示しない赤外線発光素子を有しており、制御回路５２から出力される信号に対応した赤外線信号（無線信号）が、外部へ送信されるようになっている。制御回路５２は、ＣＰＵ５３、ＲＯＭ５４、ＲＡＭ５５等を備えている。そして、ＣＰＵ５３がＲＡＭ５５をワークエリアとして利用しながらＲＯＭ５４に記憶された所定のプログラムを実行し、リモコン６８全体の制御を行う。リモコン６８は、操作キーから操作入力を受け付け、入力された内容に対応する制御データを生成し、赤外線信号に変換して送信する。
【００２４】
操作パネル３４はテレビジョン本体１００に取りつけられ、操作を受け付ける複数のキーを備え、同複数のキーを操作すると各キーに対応する電圧信号がマイコン１５に送出され、マイコン１５は同電圧信号に対応付けられた操作を行う。
【００２５】
（２）インバータ回路の動作 
次に、図２を参照して実施例にかかるインバータ回路７０について説明する。インバータ回路７０はいわゆる自励式発振回路であり、大きく分けてスイッチ部７２とメイン部７４とから成る。スイッチ部７２にはコネクタＣＮ１を通して１２Ｖの直流電源が供給されるとともに、マイコン６０からのオン／オフ信号が入力される。
【００２６】
スイッチ部７２にマイコン６０よりオン信号が入力されると、スイッチングトランジスタＱ１、のベースーエミッタ間に電流が流れることにより、エミッターコレクタ間にも電流が流れる。すると、トランジスタＱ９のベースーエミッタ間にも電流が流れて、エミッターコレクタ間にも電流が流れ始め、メイン部７４への直流電源の供給が開始される。また、信号がオフになると直流電圧の供給が停止される。そして、このオン／オフの繰り返しにより断続的に供給される直流電圧を、平滑回路としての電解コンデンサＣ１が平滑して、メイン部７４へ１２Ｖの直流電圧が供給する。
【００２７】
インバータ回路７０のメイン部７４はいわゆる自励式発振回路であり、第一の電界効果トランジスタ（ＦＥＴ）Ｑ３および第二のＦＥＴＱ４、そしてトランスＴ１を備えて自励発振し、バックライト８０の備える冷陰極蛍光管の点灯用交流電力を生成する。スイッチ部７２にオン信号が入力されると、電源回路５０から供給されたバイアス電源（直流電圧）は、第一のＦＥＴＱ３と第二のＦＥＴＱ４の各ゲート電極に印加される。第一のＦＥＴＱ３と第二のＦＥＴＱ４とは交互にオン・オフを繰り返すことで、トランスＴ１の１次側に所定周波数の交流電圧を出力する。
【００２８】
トランスＴ１の１次側は、第一のＦＥＴＱ３のドレイン電極と一端において接続する第１の巻線Ｔａと、第二のＦＥＴＱ４のドレイン電極と一端において接続する第２の巻線Ｔｂと、帰還用巻線Ｔｃとから構成される。また、トランスＴ１の２次側は、第３の巻線Ｔｄから構成される。さらに、第１の巻線Ｔａの他端および第２の巻線Ｔｂの他端の夫々には、約１２Ｖの正電源が供給されている。帰還用巻線Ｔｃは、増幅された出力の一部を第一のＦＥＴＱ３と第二のＦＥＴＱ４の入力側に戻し、これをさらに増幅させるという循環作用を生じさせる。またメイン部７４には抵抗Ｒ１８に流れる電流の過電流保護のための保護回路７６が接続されている。
【００２９】
かかる構成において、トランスＴ１は、１次側に入力された交流電圧を昇圧し、当該昇圧後の交流電圧をバックライト８０に印加することにより、同バックライト８０を点灯させる。
【００３０】
ここで、コネクタＣＮ１に入力されるオン／オフ信号を、マイコン６０にてデューティ制御（ＰＷＭ制御）し、メイン部７４に供給する直流電圧をコントロールすることにより調光を行う。このとき、コンデンサＣ１の電荷が放電されるまでの時間をｔ１、マイコン６０にて行うオン／オフ信号のデューティ制御におけるオフ時間をｔ２とすると、ｔ１＞ｔ２となるように設定する。すなわち、オフ時間は、電解コンデンサＣ１に蓄えられた電荷がゼロになるまでに要する時間よりも短く設定される。
【００３１】
図３および図４にマイコン６０から出力されるオン／オフ信号のタイミングチャートと、このオン／オフ信号に従って変化する電解コンデンサＣ１に蓄えられる電圧を示してある。図３および図４において、上に示してあるグラフは電解コンデンサＣ１の電圧であり、図３の方がバックライトをより明るく調光するときのものである。したがって、図３においてはオン時間が図４よりも長く、ｔａ１＞ｔｂ１、ｔａ２＝ｔｂ２である。
【００３２】
また、図２のコネクタＣＮ１を介して電源回路より供給される電圧は１２Ｖであるため、本実施例において、電解コンデンサＣ１に蓄電される最大電圧は１２Ｖとなる。下に示してあるのはマイコン６０よりコネクタＣＮ１に入力されるオン／オフ信号のタイミングチャートであり、オン／オフの制御は電圧供給の有無によって行われる。すなわち、オンのとき電圧が供給され、オフの時は電圧が供給されない。
【００３３】
図３および図４において、液晶テレビジョン１０５の電源がオンとなりバックライト８０の調光が開始されると、コネクタＣＮ１に予め設定されたデューティ比のオン／オフ信号の入力が開始され、電解コンデンサＣ１は、蓄電と放電とを繰り返す。そしてオン時間で蓄電される電圧量とオフ時間で放電される電圧量とがつりあうと、平均電圧が一定の値を取る。図３における平均電圧はＶａであり、平均電圧がＶａを取るようになると、ｄＶａの範囲で蓄電と放電とを繰り返す。同様に、図４における平均電圧はＶｂであり、平均電圧がＶｂを取るようになると、ｄＶｂの範囲で蓄電と放電とを繰り返す。
【００３４】
図５にバックライトの明るさと、各明るさにおいて電解コンデンサＣ１に蓄電される平均電圧と、そしてマイコン６０より入力されるオン／オフ信号のオン時間との対応表を示した。この対応関係を示すデータは予めマイコン６０のＲＯＭに記憶されているものとする。「明るさ」は０，１，２，３，・・・，９の順に徐々に明るくなるものとする。平均電圧およびオン時間の値の大小関係はそれぞれ、Ｖ０＜Ｖ１＜Ｖ２＜Ｖ３＜・・・＜Ｖ９、ｔ２０＜ｔ２１＜ｔ２２＜ｔ２３＜・・・＜ｔ２９、となっている。そして、図３および図４におけるｔａ１とｔｂ１としては、ｔａ１＞ｔｂ１となるように、図５のオン時間のいずれか異なる値にそれぞれ対応する。図５では、明るさのレベルとして０〜９の１０段階を取るものとしてあるが、むろん１０段階でなく５段階であっても２０段階であってもよく、任意の段階数を設定可能である。
【００３５】
（３）明るさの変更を行うマイコンの処理： 
【００３６】
図１０に所定の階層構造で階層化された操作項目の一例を示す。リモコン６８のメニューキー６４が押し下げ操作されたときテレビジョンの画面に最初に表示されるメインメニューには、操作項目を大きく分類した操作項目である、「画質」、「音質」、「チャンネル設定」、「予約」、などが表示されるメニューブロックを表示する。次に大きく分類した操作項目をリモコン６８にて選択入力するとサブメニューのメニューブロックが画面に表示される。例えばメインメニューで「画質」を選択入力したときは、サブメニューにおいて、「戻る」、「コントラスト」、「輝度」、「明るさ」、「色の濃さ」、「シャープネス」、などの操作項目が表示される。
【００３７】
以下、図９を参照して、メニュー画面から操作項目の選択入力を受け付けて対応する設定処理を実行するマイコン６０の処理を説明する。なお、図９には、当該処理をフローチャートで示してある。本フローは、液晶テレビジョン１０５の電源がオンである間は繰り返し行われる。
【００３８】
処理を開始すると、まずリモコン６８のメニューキー６４が押し下げ操作されたか否かを判断する（ステップＳ１０）。リモコン６８は、各種キーが押し下げられる操作が行われると、当該操作を検知して操作に対応するパルスで表現した赤外線信号を赤外線送信回路からテレビジョン本体に向けて送信する。すると、赤外線受光回路１４が赤外線信号を受光して対応する電圧信号を生成する。マイコン６０は赤外線受光回路１４からの電圧信号の入力を常時監視しており、電圧信号で表される情報を識別することによりリモコンに対して行われたキー操作を検知する。これにより、マイコン６０はリモコン６８からの操作入力を受け付ける。
【００３９】
そしてユーザーがリモコン６８のメニューキー６４を押し下げる操作を行うと、リモコン６８は、メニューキー６４の押し下げ操作を検知し、当該押し下げ操作に対応するパルスで表現した赤外線信号を赤外線送信回路からテレビジョン本体に向けて送信する。すると、赤外線受光回路１４が赤外線信号を受光して対応する電圧信号を生成し、マイコン６０は同電圧信号を識別してメニューキー６４の押し下げ操作を検知するので、ステップＳ１０では条件成立となり、ステップＳ１５に進む。なお、メニューキー６４が押し下げ操作されていない場合にはマイコン６０はメニューキー６４の押し下げ操作を検知しないので、ステップＳ１０では条件不成立となり、本フローを終了する。
【００４０】
ステップＳ２０では、メニュー画面において階層に応じた操作項目全てを表す情報をＲＯＭより取得する。ステップＳ３０では、ステップＳ２０で取得した操作項目全てを表す情報に基づいて当該操作項目の一覧を操作項目のいずれかの位置に対応させたカーソルとともにＯＳＤ表示させるＯＳＤ信号をＯＳＤ回路に生成させ、画像データ生成回路３０からの映像信号に当該生成したＯＳＤ信号を重畳し、ＯＳＤ信号を重畳した映像信号を画像データ生成回路３０に対して供給する。すると、画像データ生成回路３０にてＯＳＤ信号を重畳した映像信号に対応するＲＧＢ信号が生成され、液晶パネル４０にて同ＲＧＢ信号に対応する映像が画面に表示される。ここで、映像信号にＯＳＤ信号が重畳されているので、テレビジョン本体１００の画面にはカーソルとともに操作項目の一覧が表示される。
【００４１】
このとき、ユーザーはこのメニュー画面に従ってリモコン６８に配置された操作キーを押し下げ操作することで操作項目の選択入力を行うことができる。そこで、マイコン６０は、赤外線受光回路から電圧信号を入力して対応するキー操作を検知することにより、リモコンから操作入力を受け付ける。ここで、上下左右カーソル移動キー６１ａ，６１ｂ，６１ｃ，６１ｄの操作を検知した場合、カーソルを上下左右に移動させる。また、カーソル選択キー６５ｅの操作を受け付けた否かを判断し（ステップＳ４０）、カーソル選択キーの操作を検知しない場合には条件不成立となり、リモコンから操作入力を受け付け、カーソル移動キー６１ａ，６１ｂ，６１ｃ，６１ｄの操作を検知した場合にはカーソルを上下左右に移動させる。
【００４２】
ステップＳ４０でカーソル選択キーの操作を検知した場合、カーソルの位置にある操作項目の選択入力を受け付けたことになり、ステップＳ５０に進み、同選択された操作項目にサブメニューが存在するか否かを判断する。選択された操作項目にサブメニューが存在する場合はステップＳ２０に戻りステップＳ２０〜Ｓ５０の処理を繰り返す。一方、選択された操作項目にサブメニューが無い場合は、ステップＳ６０に進み、操作項目に対応する設定処理を実行する。各操作項目の情報には操作項目がサブメニューを持つか末端であるかを表す情報が含まれており、当該情報に基づいて上記選択入力された操作項目がサブメニューを持つか階層の末端であるかを判断することができる。そして、ステップＳ６０にて設定処理終了後、ＥＥＰＲＯＭ９０の各操作項目に対応するアドレスに設定された情報を格納して当該処理を終了する。
【００４３】
続いて、図９の処理のステップＳ４０で「明るさ」の操作項目が選択入力されたときのステップＳ６０におけるマイコン６０の処理を、図１１を参照して説明する。なお、図１１には、当該処理をフローチャートで示してある。本フローは、図９の処理でステップＳ４０で「明るさ」の操作項目が選択入力されたときにステップＳ６０で呼び出されて実行される。
【００４４】
処理が開始されると、まずステップＳ２１０にて「明るさ」の設定画面を表す情報をＲＯＭより取得し、取得した情報に基づいて液晶パネル４０に「明るさ」の設定画面をＯＳＤ表示させステップＳ２２０に進む。表示されるＯＳＤ画面としては図１２のように、スライダとともに現在の設定値を表す数値を表示させるなどすればよい。
【００４５】
ステップＳ２２０では、赤外線受光回路から入力される電圧信号を監視し、リモコン６８からの上下カーソル移動キー６１ａ，６１ｃのキー操作を表す信号を検知したか否かを判断する。上下カーソル移動キー６１ａ，６１ｃのキー操作を表す信号を検知しない場合は条件不成立としてステップＳ２４０に進む。一方、上下カーソル移動キー６１ａ，６１ｃのキー操作を表す信号を検知したときは、「明るさ」の設定値を上昇または下降させる操作を受け付けステップＳ２３０に進む。そして、ステップＳ２３０では、図１２のスライダおよび数値を上昇または下降させたＯＳＤ画面をＯＳＤ回路に生成させて画面に表示させてステップＳ２４０に進む。
【００４６】
ステップＳ２４０では、赤外線受光回路から入力される電圧信号を監視し、リモコン６８からのカーソル選択キー６１ｅのキー操作を表す信号を検知したか否かを判断する。カーソル選択キーのキー操作を表す信号を検知しない場合は条件不成立としてステップＳ２２０に戻り、ステップＳ２２０〜Ｓ２４０の処理を繰り返す。一方、カーソル選択キーのキー操作を表す信号を検知した場合は、「明るさ」の設定を終了するものとして当該設定処理を終了して図９のステップＳ６０に戻るとともに、図９の処理も終了する。
【００４７】
次に、上記メニュー画面において「明るさ」の操作項目が選択入力され、「明るさ」の設定値が変更された場合のマイコン６０の処理を説明する。液晶テレビジョン１０５の電源がオンになると、マイコン６０はＥＥＰＲＯＭの所定のアドレスに格納されている「明るさ」を示す情報を取得して一時的にＲＡＭに格納させ、図５の表のオン時間に対応する情報を「明るさ」を示す情報に基づいてＲＯＭより取得して一時的にＲＡＭに格納し、図２のコネクタＣＮ１へオン／オフ信号の出力を開始する。
【００４８】
以下図６を参照して、ユーザが液晶パネル４０に表示される映像の「明るさ」設定を変更した時のマイコン６０の処理を説明する。なお、図６には、当該処理をフローチャートで示してある。本フローは、液晶テレビジョン１０５の電源がオンである間は繰り返し行われる。
処理を開始すると、ステップＳ１００にてＥＥＰＲＯＭ９０に格納された「明るさ」を示す情報とＲＡＭに格納された「明るさ」を示す情報とを比較し、ユーザが「明るさ」の変更を行ったか否かを判断する。ＥＥＰＲＯＭ９０に格納された「明るさ」を示す情報とＲＡＭに格納された「明るさ」を示す情報とが一致した場合は、条件成立としてステップＳ１１０に進む。一方、一致しない場合は条件不成立として当該処理を終了する。
【００４９】
ステップＳ１１０に進むと、ＲＡＭに格納されていた「明るさ」を示す情報を消去すると共に、ＥＥＰＲＯＭ９０に格納された「明るさ」に対応する情報から対応するオン時間を表す情報を取得して、ＲＡＭに格納しなおしてステップＳ１２０に進む。
【００５０】
ステップＳ１２０ではＲＡＭに格納しなおしたオン時間を表す情報に基づいてオン／オフ信号を生成し、コネクタＣＮ１に出力を開始して、当該処理を終了する。
【００５１】
次に、上記構成からなる本実施形態の動作を説明する。
ユーザがテレビジョン１０５の画面を見て、暗いと感じたり、明るすぎると感じたりすると、リモコン６８のメニューキー６４を押し下げ操作し、図１０のメインメニューを画面に表示させる。そしてカーソル移動キーを６１ａ〜６１ｄのいずれかを押し下げ操作することによりカーソルを「画質」の操作項目にあわせて、カーソル選択キー６１ｅを押し下げ操作する。すると画質のサブメニューが表示されるので、再びカーソル移動キーを６１ａ〜６１ｄおよびカーソル選択キー６１ｅを押し下げ操作することにより、「明るさ」の操作項目を操作入力する。
【００５２】
すると図１２のように「明るさ」の設定画面が、現在の設定値を表すスライダと数値とともに表示されるので、明るくしたい場合は上カーソル移動キーを、暗くしたい場合は下カーソル移動キーを、それぞれ押し下げ操作する。するとスライダと数値が上下して表示され、ユーザの所望の明るさになるまで上下カーソル移動キーの押し下げ操作を繰り返し、所望の明るさになればカーソル選択キーを押し下げ操作する。すると変更された明るさの設定値を表す情報がＥＥＰＲＯＭ９０に格納され、「明るさ」の設定画面が終了するとともに、メニュー画面も終了する。
【００５３】
そして、マイコン６０がＲＡＭに格納されている「明るさ」の設定値を表す情報と、ＥＥＰＲＯＭ９０に格納されている「明るさ」の設定値を表す情報とを比較し、それぞれの情報が一致しないときは、ユーザが「明るさ」の設定を変更したものとして、新たな「明るさ」に対応するオン時間を表す情報をＲＯＭより取得してＲＡＭに格納しなおす。そしてＲＡＭに格納したオン時間を表す情報に基づいて、オン／オフ信号を生成し、図２のコネクタＣＮ１への制御信号の出力を開始する。
【００５４】
（４）まとめ 
【００５５】
つまり、スイッチングトランジスタＱ１を介して断続的に供給される直流電源を平滑する平滑回路と、第一および第二のＦＥＴとトランスとを備えるとともに平滑回路の直流出力が入力されて自励発振する発振回路と、スイッチングトランジスタＱ１のオン／オフを制御可能なマイコン６０とを備えさせ、マイコン６０によりスイッチングトランジスタＱ１におけるオン／オフのデューティ比を制御し、平滑回路からの直流出力を制御することにより、発振回路が出力する冷陰極蛍光管の点灯用交流電力を制御して同冷陰極蛍光管を調光する。
【００５６】
以上説明したように、本実施例に対応する請求項２にかかる液晶モジュールでは、液晶パネルと、この液晶パネルの背面にて点灯するバックライトとしての蛍光管と、スイッチングトランジスタを介して断続的に供給される直流電源を平滑する平滑回路と、上記平滑回路の直流出力を入力し、第一および第二のＦＥＴとトランスとを備えて自励発振し、上記蛍光管の点灯用交流電力を生成する発振回路と、上記スイッチングトランジスタのオン／オフを制御可能なマイコンとを備える液晶モジュールにおいて、上記マイコンは、上記スイッチングトランジスタにおけるオン／オフのデューティ比を制御して上記平滑回路からの直流出力を制御することにより、上記発振回路が出力する上記蛍光管の点灯用交流電力を制御して同蛍光管を調光する構成としてある。
【００５７】
つまり、上記マイコンが上記スイッチングトランジスタのオン／オフのデューティ比を制御して上記平滑回路からの直流出力を制御すると、上記平滑回路がスイッチングトランジスタを介して断続的に供給される直流電源を平滑して上記発振回路に出力し、第一および第二のＦＥＴとトランスとを備える上記発振回路が自励発振して上記蛍光管の点灯用交流電力を生成し、上記蛍光管が点灯して上記液晶パネルを背面から照射する。
【００５８】
また請求項３では、上記請求項２に記載の液晶モジュールにおいて、上記デューティ比において、オフ時間を一定とする構成としてある。
【００５９】
上記のように構成した請求項３にかかる考案によれば、オン／オフ制御におけるオフ時間を一定としたため、コンデンサＣ１の残り電圧がなくなるまでにオンとなるよう設定することが可能となり、インバータの発振が停止することによるトランスからの異音の発生を防止することが可能となる。
【００６０】
以上の構成を踏まえた上で、請求項１の考案は、映像を画面を表示する液晶パネルと、音声を出力するスピーカと、アンテナを介してテレビジョン放送信号を受信するとともに映像信号を抽出して出力するチューナ回路と、映像信号が入力され、当該映像信号に対応する映像を画面に表示する映像表示回路と、所定のフォーマットのパルスで表現した赤外線信号を受信して対応する電圧信号を生成する赤外線受光回路と、操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、情報を書き換え可能なＥＥＰＲＯＭと、上記液晶パネルの背面にて点灯するバックライトとしての蛍光管と、商用電源が入力され、入力された電圧を各種電圧に変換して出力可能な電源回路と、スイッチングトランジスタを介して断続的に供給される直流電源を平滑する平滑回路と、上記平滑回路の直流出力を入力し、第一および第二のＦＥＴとトランスとを備えて自励発振し、上記蛍光管の点灯用交流電力を生成する発振回路と、上記スイッチングトランジスタのオン／オフを制御可能なマイコンとを備える液晶テレビジョンにおいて、上記マイコンは、上記スイッチングトランジスタにおけるオン／オフのデューティー比を制御して上記平滑回路からの直流出力を制御することにより、上記発振回路が出力する上記蛍光管の点灯用交流電力を制御して同蛍光管を調光する構成としてある。
【００６１】
なお、本考案は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【図面の簡単な説明】
【００６２】
【図１】液晶テレビジョンの回路構成を示したブロック図である。
【図２】自励式インバータ回路の回路図である。
【図３】マイコンの出力するオン／オフ信号のタイミングチャートと電解コンデンサに蓄電される電圧の相関グラフの一例である。
【図４】マイコンの出力するオン／オフ信号のタイミングチャートと電解コンデンサに蓄電される電圧の相関グラフの一例である。
【図５】バックライトの明るさと、各明るさにおいて電解コンデンサに蓄電される平均電圧と、マイコンより入力されるオン／オフ信号のオン時間との対応表である。
【図６】「明るさ」設定が変更された時の処理を表すフローチャートである。
【図７】リモコンの斜視図である。
【図８】リモコンの回路構成を示したブロック図である。
【図９】メニュー操作処理のフローチャートである
【図１０】メニュー画面の構造を示したブロック図である
【図１１】「明るさ」の操作項目が選択入力されたときマイコンの処理を表すフローチャートである。
【符号の説明】
【００６３】
１０…チューナ回路
１４…赤外線受光回路
２０…画像データ生成回路
３０…パネル駆動回路
３４…操作パネル
４０…液晶パネル
５０…電源回路
６０…マイコン
６８…リモコン
７０…インバータ回路
７２…スイッチ部
７４…メイン部
７６…保護ブロック
８０…バックライト
９０…ＥＥＰＲＯＭ
１００…テレビジョン本体
１０５…液晶テレビジョン
Ｔ１…インバータトランス
ＣＮ１…コネクタ
Ｑ３、Ｑ４…電界効果トランジスタ（ＦＥＴ）
Ｑ１，Ｑ９…トランジスタ
Ｔａ，Ｔｂ，Ｔｃ，Ｔｄ…巻線
Ｃ１…電解コンデンサ
５１…操作キー
５２…制御回路
５３…ＣＰＵ
５４…ＲＯＭ
５５…ＲＡＭ
５６…赤外線送信回路
６１ａ，６１ｂ，６１ｃ，６１ｄ…カーソル移動キー
６１ｅ…カーソル選択キー
６２ａ，６２ｂ…音量調節キー
６３…テンキー
６４…メニューキー
６５…赤外線送信部
６６…電源キー
【図１】
0003119099.tif 000003
【図２】
0003119099.tif 000004
【図３】
0003119099.tif 000005
【図４】
0003119099.tif 000006
【図５】
0003119099.tif 000007
【図６】
0003119099.tif 000008
【図７】
0003119099.tif 000009
【図８】
0003119099.tif 000010
【図９】
0003119099.tif 000011
【図１０】
0003119099.tif 000012
【図１１】
0003119099.tif 000013